【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
ワイヤレス通信においてデータを送信するための方法であって、
第１の処理技法を使用して、複数の第１のパイロットシンボルに少なくとも部分的に基づいて送信のための第１のサブフレームを生成することと、前記生成された第１のサブフレームは、少なくとも１つのサイクリックプレフィックスを含み、
第２の処理技法を使用して、複数の第２のパイロットシンボルに少なくとも部分的に基づいて送信のための第２のサブフレームを生成することと、前記生成された第２のサブフレームは、少なくとも１つのサイクリックプレフィックスを含み、ここにおいて、前記第１の処理技法と前記第２の処理技法とが異なり、および、ここにおいて、前記複数の第２のパイロットシンボルは、前記第２のサブフレームにおける時間領域データパケット内でインターリーブされ、
前記第１および第２のサブフレームを送信することと
を備える、方法。
【請求項２】
前記第１の処理技法が直交周波数分割多重（ＯＦＤＭ）を備える、請求項１に記載の方法。
【請求項３】
前記第２の処理技法がサイクリックプレフィックスシングルキャリア（ＣＰ−ＳＣ）を備える、請求項１に記載の方法。
【請求項４】
送信のための前記第１のサブフレームを生成することは、
前記複数の第１のパイロットシンボルを信号コンスタレーション上にマッピングすることと、ここにおいて、前記コンスタレーション上の各信号が等しいエネルギーを有し、
前記複数の第１のパイロットシンボルに逆高速フーリエ変換（ＩＦＦＴ）を適用することによって、前記信号コンスタレーションを周波数領域から時間領域に変換することとを備える、請求項１に記載の方法。
【請求項５】
前記第１の生成されたサブフレーム内に含まれる前記サイクリックプレフィックスは、前記生成された第１のサブフレームの前記パイロットシンボルのうちの少なくとも１つの繰り返しを含み、前記第２の生成されたサブフレーム内に含まれる前記サイクリックプレフィックスは、前記生成された第２のサブフレームの前記時間領域データパケットのうちの少なくとも１つ、または前記第２のパイロットシンボルのうちの少なくとも１つの繰り返しを含む、請求項１に記載の方法。
【請求項６】
前記複数の第１のパイロットシンボルが、チャネル推定を行うために受信機によって使用される、請求項１に記載の方法。
【請求項７】
前記複数の第２のパイロットシンボルが、チャネル推定追跡のために使用される、請求項１に記載の方法。
【請求項８】
前記ワイヤレス通信が無認可周波数スペクトル上で動作する、請求項１に記載の方法。
【請求項９】
前記無認可周波数スペクトルが６０ＧＨｚ帯域を備える、請求項８に記載の方法。
【請求項１０】
前記第１のサブフレームが第１の時間期間中に送信され、前記第２のサブフレームが第２の時間期間中に送信される、請求項１に記載の方法。
【請求項１１】
前記第１の時間期間と前記第２の時間期間とが隣接する、請求項１０に記載の方法。
【請求項１２】
ワイヤレス通信においてデータを送信するための装置であって、
第１の処理技法を使用して、複数の第１のパイロットシンボルに少なくとも部分的に基づいて送信のための第１のサブフレームを生成するための第１の処理モジュールと、前記生成された第１のサブフレームは、少なくとも１つのサイクリックプレフィックスを含み、
第２の処理技法を使用して、複数の第２のパイロットシンボルに少なくとも部分的に基づいて送信のための第２のサブフレームを生成するための第２の処理モジュールと、前記生成された第２のサブフレームは、少なくとも１つのサイクリックプレフィックスを含み、ここにおいて、前記第１の処理技法と前記第２の処理技法とが異なり、および、ここにおいて、前記複数の第２のパイロットシンボルは、前記第２のサブフレームにおける時間領域データパケット内でインターリーブされ、
前記第１および第２のサブフレームを送信するための送信機モジュールと
を備える、装置。
【請求項１３】
ワイヤレス通信においてデータを受信するための方法であって、
受信デバイスにおいて、それぞれ、第１の時間期間中および第２の時間期間中に、第１の処理技法を使用して符号化された第１のサブフレームと、前記第１のサブフレームは、少なくとも１つのサイクリックプレフィックスを含み、第２の処理技法を使用して符号化された第２のサブフレームとを受信することと、前記第２のサブフレームは、少なくとも１つのサイクリックプレフィックスを含み、
複数の第１のパイロットシンボルに部分的に基づいて最初のチャネル状態を推定することと、ここにおいて、前記第１のパイロットシンボルが、前記受信デバイスにおいて、前記第１のサブフレーム中で受信され、
複数の第２のパイロットシンボルに部分的に基づいてチャネル状態を追跡することと、ここにおいて、前記複数の第２のパイロットシンボルが前記第２のサブフレーム中で受信され、および、ここにおいて、前記複数の第２のパイロットシンボルは、前記第２のサブフレームにおける時間領域データパケット内でインターリーブされたものである、
前記チャネル推定に部分的に、および前記チャネル推定追跡情報に部分的に基づいて複数のデータパケットを検出することと
を備える、方法。
【手続補正２】
【補正対象書類名】明細書
【補正対象項目名】００９３
【補正方法】変更
【補正の内容】
【００９３】
[0106]本開示についての以上の説明は、当業者が本開示を作成または使用することができるように与えたものである。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示する原理および新規の特徴に合致する最も広い範囲を与えられるべきである。
以下に、本願の出願当初の特許請求の範囲に記載された発明を付記する。
［Ｃ１］
ワイヤレス通信においてデータを送信するための方法であって、
第１の処理技法を使用して、複数の第１のパイロットシンボルに少なくとも部分的に基づいて送信のための第１のサブフレームを生成することと、
第２の処理技法を使用して、複数の第２のパイロットシンボルに少なくとも部分的に基づいて送信のための第２のサブフレームを生成することと、ここにおいて、前記第１の処理技法と前記第２の処理技法とが異なり、
前記第１および第２のサブフレームを送信することと
を備える、方法。
［Ｃ２］
前記第１の処理技法が直交周波数分割多重（ＯＦＤＭ）を備える、Ｃ１に記載の方法。
［Ｃ３］
前記第２の処理技法がサイクリックプレフィックスシングルキャリア（ＣＰ−ＳＣ）を備える、Ｃ１に記載の方法。
［Ｃ４］
送信のための前記第１のサブフレームを生成することは、
前記複数の第１のパイロットシンボルを信号コンスタレーション上にマッピングすることと、ここにおいて、前記コンスタレーション上の各信号が等しいエネルギーを有し、  前記複数の第１のパイロットシンボルに逆高速フーリエ変換（ＩＦＦＴ）を適用することによって、前記信号コンスタレーションを周波数領域から時間領域に変換することとを備える、Ｃ１に記載の方法。
［Ｃ５］
送信のための前記第２のサブフレームを生成することが、
サイクリックプレフィックスと前記複数の第２のパイロットシンボルとを前記第２のサブフレーム中に挿入すること
を備える、Ｃ１に記載の方法。
［Ｃ６］
前記複数の第２のパイロットシンボルが、等しい時間遅延に従って前記第２のサブフレーム中に挿入される、Ｃ５に記載の方法。
［Ｃ７］
前記複数の第２のパイロットシンボルが、等しくない時間遅延に従って前記第２のサブフレーム中に挿入される、Ｃ５に記載の方法。
［Ｃ８］
前記複数の第１のパイロットシンボルが、チャネル推定を行うために受信機によって使用される、Ｃ１に記載の方法。
［Ｃ９］
前記複数の第２のパイロットシンボルが、チャネル推定追跡のために使用される、Ｃ１に記載の方法。
［Ｃ１０］
前記ワイヤレス通信が無認可周波数スペクトル上で動作する、Ｃ１に記載の方法。
［Ｃ１１］
前記無認可周波数スペクトルが６０ＧＨｚ帯域を備える、Ｃ１０に記載の方法。
［Ｃ１２］
前記第１のサブフレームが第１の時間期間中に送信され、前記第２のサブフレームが第２の時間期間中に送信される、Ｃ１に記載の方法。
［Ｃ１３］
前記第１の時間期間と前記第２の時間期間とが隣接する、Ｃ１２に記載の方法。
［Ｃ１４］
ワイヤレス通信においてデータを送信するための装置であって、
プロセッサと、
前記プロセッサと電子通信しているメモリとを備え、前記メモリが命令を具備し、前記命令が、
第１の処理技法を使用して、複数の第１のパイロットシンボルに少なくとも部分的に基づいて送信のための第１のサブフレームを生成することと、
第２の処理技法を使用して、複数の第２のパイロットシンボルに少なくとも部分的に基づいて送信のための第２のサブフレームを生成することと、ここにおいて、前記第１の処理技法と前記第２の処理技法とが異なり、
前記第１および第２のサブフレームを送信することと
を行うために前記プロセッサによって実行可能である、
装置。
［Ｃ１５］
前記第１の処理技法が直交周波数分割多重（ＯＦＤＭ）を備える、Ｃ１４に記載の装置。
［Ｃ１６］
前記第２の処理技法がサイクリックプレフィックスシングルキャリア（ＣＰ−ＳＣ）を備える、Ｃ１４に記載の装置。
［Ｃ１７］
送信のための前記第１のサブフレームを生成するための前記実行可能な命令がさらに、  前記複数の第１のパイロットシンボルを信号コンスタレーション上にマッピングすることと、ここにおいて、前記コンスタレーション上の各信号が等しいエネルギーを有し、  前記複数の第１のパイロットシンボルに逆高速フーリエ変換（ＩＦＦＴ）を適用することによって、前記信号コンスタレーションを周波数領域から時間領域に変換することとを行うために前記プロセッサによって実行可能である、Ｃ１４に記載の装置。
［Ｃ１８］
送信のための前記第２のサブフレームを生成するための前記実行可能な命令がさらに、  サイクリックプレフィックスと前記複数の第２のパイロットシンボルとを前記第２のサブフレーム中に挿入すること
を行うために前記プロセッサによって実行可能である、Ｃ１４に記載の装置。
［Ｃ１９］
前記複数の第１のパイロットシンボルが、チャネル推定を行うために受信機によって使用される、Ｃ１４に記載の装置。
［Ｃ２０］
前記複数の第２のパイロットシンボルが、チャネル推定追跡のために使用される、Ｃ１４に記載の装置。
［Ｃ２１］
前記ワイヤレス通信が無認可周波数スペクトル上で動作する、Ｃ１４に記載の装置。
［Ｃ２２］
前記無認可周波数スペクトルが６０ＧＨｚ帯域を備える、Ｃ２１に記載の装置。
［Ｃ２３］
前記第１のサブフレームが第１の時間期間中に送信され、前記第２のサブフレームが第２の時間期間中に送信される、Ｃ１４に記載の装置。
［Ｃ２４］
ワイヤレス通信においてデータを送信するための装置であって、
第１の処理技法を使用して、複数の第１のパイロットシンボルに少なくとも部分的に基づいて送信のための第１のサブフレームを生成するための第１の処理モジュールと、
第２の処理技法を使用して、複数の第２のパイロットシンボルに少なくとも部分的に基づいて送信のための第２のサブフレームを生成するための第２の処理モジュールと、ここにおいて、前記第１の処理技法と前記第２の処理技法とが異なり、
前記第１および第２のサブフレームを送信するための送信機モジュールと
を備える、装置。
［Ｃ２５］
前記第１の処理技法が直交周波数分割多重（ＯＦＤＭ）を備える、Ｃ２４に記載の装置。
［Ｃ２６］
前記第２の処理技法がサイクリックプレフィックスシングルキャリア（ＣＰ−ＳＣ）を備える、Ｃ２４に記載の装置。
［Ｃ２７］
送信のための前記第１のサブフレームを生成するための前記第１の処理モジュールは、  前記複数の第１のパイロットシンボルを信号コンスタレーション上にマッピングすることと、ここにおいて、前記コンスタレーション上の各信号が等しいエネルギーを有し、  前記複数の第１のパイロットシンボルに逆高速フーリエ変換（ＩＦＦＴ）を適用することによって、前記信号コンスタレーションを周波数領域から時間領域に変換することとを備える、Ｃ２４に記載の装置。
［Ｃ２８］
送信のための前記第２のサブフレームを生成するための前記第２の処理モジュールは、  サイクリックプレフィックスと前記複数の第２のパイロットシンボルとを前記第２のサブフレーム中に挿入すること
を備える、Ｃ２４に記載の装置。
［Ｃ２９］
ワイヤレス通信においてデータを受信するための方法であって、
受信デバイスにおいて、それぞれ、第１の時間期間中および第２の時間期間中に、第１の処理技法を使用して符号化された第１のサブフレームと、第２の処理技法を使用して符号化された第２のサブフレームとを受信することと、
複数の第１のパイロットシンボルに部分的に基づいて最初のチャネル状態を推定することと、ここにおいて、前記第１のパイロットシンボルが、前記受信デバイスにおいて、前記第１のサブフレーム中で受信され、
複数の第２のパイロットシンボルに部分的に基づいてチャネル状態を追跡することと、ここにおいて、前記複数の第２のパイロットシンボルが前記第２のサブフレーム中で受信され、
前記チャネル推定に部分的に、および前記チャネル推定追跡情報に部分的に基づいて複数のデータパケットを検出することと
を備える、方法。
［Ｃ３０］
前記第１の処理技法が直交周波数分割多重（ＯＦＤＭ）処理を備え、前記第２の処理技法がサイクリックプレフィックスシングルキャリア（ＣＰ−ＳＣ）処理を備える、Ｃ２９に記載の方法。